(57)【要約】【課題】バンドを過度に締め付けることが抑制されるバンド締付器を提供すること。【解決手段】バンドＢを固定して回転可能な回転軸部材６と、バンドＢを締め付ける側への回転軸部材６の回転を許可する締付側ラチェット部Ｓ（４１２，５１）と、バンドＢが戻る側への回転軸部材６の回転を防止する戻り防止側ラチェット部Ｍ（２１２，３１）と、を備えるバンド締付器１であって、締付側ラチェット部Ｓ（４１２，５１）は、所定の負荷が掛かると、バンドＢを締め付ける側への回転軸部材６の回転を許可する機能が損なわれる。【選択図】図３
2016133215.tif 000002
【特許請求の範囲】
【請求項１】
バンドを固定して回転可能な回転軸部材と、バンドを締め付ける側への前記回転軸部材の回転を許可する締付側ラチェット部と、バンドが戻る側への前記回転軸部材の回転を防止する戻り防止側ラチェット部と、を備えるバンド締付器であって、
前記締付側ラチェット部は、所定の負荷が掛かると、バンドを締め付ける側への前記回転軸部材の回転を許可する機能が損なわれるバンド締付器。
【請求項２】
前記締付側ラチェット部は、締付側爪部材と、前記締付側爪部材が係合する締付側係合溝と、を有し、
前記締付側係合溝の周縁部又は前記締付側爪部材は、前記締付側ラチェット部に所定の負荷が掛かると破損する請求項１に記載のバンド締付器。
【請求項３】
前記締付側ラチェット部は、前記締付側爪部材を有する締付側本体と、前記締付側係合溝を有する板状の締付側板部材と、を有し、
前記戻り防止側ラチェット部は、戻り防止側爪部材を有する戻り防止側本体と、前記戻り防止側爪部材が係合する戻り防止側係合溝を有する板状の戻り防止側板部材と、を有し、
前記締付側板部材の板厚を前記戻り防止側板部材の板厚よりも薄くすることで、前記締付側ラチェット部に所定の負荷が掛かると、前記締付側係合溝の周縁部が破損し、又は、前記締付側板部材の板厚を前記戻り防止側板部材の板厚よりも厚くすることで、前記締付側ラチェット部に所定の負荷が掛かると、前記締付側爪部材が破損するように構成される請求項２に記載のバンド締付器。
【発明の詳細な説明】
【技術分野】
【０００１】
本発明は、バンドを固定して回転可能な回転軸部材と、締付側ラチェット部と、戻り防止側ラチェット部と、を備えるバンド締付器に関する。
【背景技術】
【０００２】
従来、バンドを固定して回転可能な回転軸部材と、バンドを締め付ける側への回転軸部材の回転を許可する締付側ラチェット部と、バンドが戻る側への回転軸部材の回転を防止する戻り防止側ラチェット部と、を備えるバンド締付器が知られている。バンド締付器においては、バンドを締め付けすぎると、バンドが切断することがあった。
【０００３】
これに対して、操作ハンドルによる荷重が設定荷重を超えたときに、操作ハンドルの後端部側に設けられた荷重調整用サイドプレートが、接続用シャフトを軸に回転し、可動サイドプレートに対して傾くように構成されるバンド締付器が提案されている（例えば、特許文献１参照）。特許文献１に記載のバンド締付器は、バンドを締め付けすぎた際に、荷重調整用サイドプレートが傾いて、作業者に気づかせることで、バンドの締めすぎを防止するように構成されている。
【先行技術文献】
【特許文献】
【０００４】
【特許文献１】特開２００２−１０６６４５号公報
【発明の概要】
【発明が解決しようとする課題】
【０００５】
しかしながら、特許文献１のバンド締付器は、荷重調整用サイドプレートが傾いた状態においても、可動側ラチェットを動かして、バンドを更に締め付けることが可能である。そのため、作業者が気づかずに、バンドを更に締め付けると、バンドが切断する虞がある。従って、バンドを過度に締め付けることが抑制されるバンド締付器が望まれる。
【０００６】
本発明は、バンドを過度に締め付けることが抑制されるバンド締付器を提供することを目的とする。
【課題を解決するための手段】
【０００７】
（１）本発明は、バンドを固定して回転可能な回転軸部材と、バンドを締め付ける側への前記回転軸部材の回転を許可する締付側ラチェット部と、バンドが戻る側への前記回転軸部材の回転を防止する戻り防止側ラチェット部と、を備えるバンド締付器であって、前記締付側ラチェット部は、所定の負荷が掛かると、バンドを締め付ける側への前記回転軸部材の回転を許可する機能が損なわれるバンド締付器に関する。
【０００８】
（２）前記締付側ラチェット部は、締付側爪部材と、前記締付側爪部材が係合する締付側係合溝と、を有し、前記締付側係合溝の周縁部又は前記締付側爪部材は、前記締付側ラチェット部に所定の負荷が掛かると破損することが好ましい。
【０００９】
（３）前記締付側ラチェット部は、前記締付側爪部材を有する締付側本体と、前記締付側係合溝を有する板状の締付側板部材と、を有し、前記戻り防止側ラチェット部は、戻り防止側爪部材を有する戻り防止側本体と、前記戻り防止側爪部材が係合する戻り防止側係合溝を有する板状の戻り防止側板部材と、を有し、前記締付側板部材の板厚を前記戻り防止側板部材の板厚よりも薄くすることで、前記締付側ラチェット部に所定の負荷が掛かると、前記締付側係合溝の周縁部が破損し、又は、前記締付側板部材の板厚を前記戻り防止側板部材の板厚よりも厚くすることで、前記締付側ラチェット部に所定の負荷が掛かると、前記締付側爪部材が破損するように構成されることが好ましい。
【発明の効果】
【００１０】
本発明によれば、バンドを過度に締め付けることが抑制されるバンド締付器を提供することができる。
【図面の簡単な説明】
【００１１】
【図１】本発明の一実施形態におけるバンド締付器１の全体構成を示す斜視図である。
【図２】本実施形態のバンド締付器１の全体構成を示す分解斜視図である。
【図３】本実施形態のバンド締付器１の全体構成を示す平面図である。
【図４】本実施形態のバンド締付器１の締付動作を説明するための模式図である。
【図５】本実施形態のバンド締付器１の戻し動作を説明するための模式図である。
【発明を実施するための形態】
【００１２】
以下、本発明の一実施形態について、図面を参照しながら説明する。図１は、本発明の一実施形態におけるバンド締付器１の全体構成を示す斜視図である。図２は、本実施形態のバンド締付器１の全体構成を示す分解斜視図である。図３は、本実施形態のバンド締付器１の全体構成を示す平面図である。
【００１３】
本発明の一実施形態におけるバンド締付器１は、バンドＢ（例えば、図４及び図５参照）を用いて、標識板や表示器などを、鉄塔や外柵などの構造物に取り付ける際に用いられる。本実施形態において、バンド締付器１により締め付けられるバンドＢは、強度性及び耐天候などの耐久性の観点から、例えば、ステンレス製である。
【００１４】
バンド締付器１は、図１〜図３に示すように、固定側部材２（戻り防止側本体）と、戻り防止側板部材３と、巻取レバー部材４（締付側本体）と、締付側板部材５と、巻取軸部材６（回転軸部材）と、一対の端部係止片７，７と、を備える。固定側部材２、戻り防止側板部材３、巻取レバー部材４（締付側本体）、締付側板部材５、巻取軸部材６及び一対の端部係止片７，７は、金属材料で形成される。
バンド締付器１は、バンドＢを締め付ける側への巻取軸部材６の回転を許可する締付側ラチェット部Ｓと、バンドＢが戻る側への巻取軸部材６の回転を防止する戻り防止側ラチェット部Ｍと、を有するラチェット機構を備える。
【００１５】
巻取軸部材６は、回転軸Ｊを中心に回転可能に構成される。巻取軸部材６は、回転軸Ｊ方向に延びる。巻取軸部材６は、一対の平行部材６２，６２と、端部構成部材６１と、を有する。
【００１６】
一対の平行部材６２，６２は、回転軸Ｊ方向に延びており、互いに所定距離離間して配置される。端部構成部材６１は、一対の平行部材６２，６２の一方の端部６２ｂ同士を繋いでいる。一方の平行部材６２，６２の他方の端部６２ａは、離間している。
【００１７】
一対の平行部材６２，６２の間の部分は、バンドＢを固定可能なバンド固定スリット６３として構成される。巻取軸部材６は、バンドＢをバンド固定スリット６３に固定して回転可能である。
【００１８】
巻取軸部材６は、固定側部材２、戻り防止側板部材３、巻取レバー部材４、締付側板部材５及び一対の端部係止片７，７を、回転軸Ｊ方向に貫通する。これにより、固定側部材２、戻り防止側板部材３、巻取レバー部材４、締付側板部材５及び一対の端部係止片７，７は、回転軸Ｊを中心に回転可能である。
【００１９】
固定側部材２は、バンドＢを締め付ける際に、後述する巻取レバー部材４が操作されるときに、固定される部分である。固定側部材２は、戻り防止側板部材３、巻取レバー部材４、締付側板部材５及び一対の端部係止片７，７に対して、相対的に、巻取軸部材６の回転軸Ｊを中心に回転可能である。
【００２０】
固定側部材２は、一対の固定側対向板部２１ａ，２１ｂと、固定側ベース板部２２と、を有する。一対の固定側対向板部２１ａ，２１ｂ及び固定側ベース板部２２は、金属材料の板材により形成される。
一対の固定側対向板部２１ａ，２１ｂは、それぞれ、ほぼ同一形状の板状に形成され、回転軸Ｊに直交する方向に延びる。一対の固定側対向板部２１ａ，２１ｂは、回転軸Ｊ方向に所定間隔離間して、互いが対向して配置される。
【００２１】
一対の固定側対向板部２１ａ，２１ｂの一端部には、それぞれ、固定側貫通孔２１１が形成されている。一対の固定側対向板部２１ａ，２１ｂの他端部は、固定側ベース板部２２により接続されている。
【００２２】
固定側ベース板部２２は、板状に形成される。一対の固定側対向板部２１ａ，２１ｂの他端部側において、固定側ベース板部２２は、一対の固定側対向板部２１ａ，２１ｂの長さ方向の半分程度の領域において、一対の固定側対向板部２１ａ，２１ｂを接続する。
【００２３】
固定側ベース板部２２には、バンドＢの基端部を取り付けるためのバンド基端部取付孔２３が形成されている。バンド基端部取付孔２３は、回転軸Ｊ方向に、スリット状に延びている。
【００２４】
固定側貫通孔２１１は、円形状に形成され、回転軸Ｊ方向に貫通する孔である。一対の固定側貫通孔２１１，２１１には、巻取軸部材６の両端部がそれぞれ貫通されている。これにより、巻取軸部材６は、一対の固定側貫通孔２１１，２１１に貫通された状態で、固定側ベース板部２２に対して、回転可能である。
【００２５】
一対の固定側対向板部２１ａ，２１ｂのうちの一方の固定側対向板部２１ａには、複数の戻り防止側爪部材２１２が形成されている。一方の固定側対向板部２１ａは、巻取軸部材６の一方の端部６２ｂ側に配置されている。複数の戻り防止側爪部材２１２は、一方の固定側対向板部２１ａの長手方向の一端部の外面において、固定側貫通孔２１１の外周に沿って離間して形成されている。複数の戻り防止側爪部材２１２は、金属材料で形成される。
【００２６】
複数の戻り防止側爪部材２１２は、一方の固定側対向板部２１ａの長手方向の巻取軸部材６側の端部の外面から外方側に突出している。
戻り防止側爪部材２１２は、側面視において略台形形状に形成されている。戻り防止側爪部材２１２は、固定側対向板部２１ａの外面から略垂直に立ち上がる垂直面２１２ａと、所定の周方向に向かうにしたがって下方に傾斜する傾斜面２１２ｂと、を有する。複数の戻り防止側爪部材２１２は、後述する戻り防止側板部材３の複数の戻り防止側係合溝３１に係合可能である。
【００２７】
戻り防止側板部材３は、図３に示すように、固定側ベース板部２２における一方の固定側対向板部２１ａの外側に配置される。詳細には、戻り防止側板部材３は、固定側ベース板部２２における一方の固定側対向板部２１ａと巻取レバー部材４における他方の巻取レバー側対向板部４１ｂ（後述）との間に配置される。戻り防止側板部材３は、金属材料の板材により形成される。
【００２８】
戻り防止側板部材３は、図２及び図３に示すように、所定の板厚を有する略円板状に形成される。戻り防止側板部材３は、複数の戻り防止側係合溝３１と、一対の回り止め貫通孔３２，３２と、を有する。複数の戻り防止側係合溝３１は、戻り防止側板部材３の外周端部に沿って離間して配置されている。
【００２９】
複数の戻り防止側係合溝３１には、それぞれ、戻り防止側爪部材２１２が係合する。本実施形態においては、固定側部材２の戻り防止側爪部材２１２及び戻り防止側板部材３の戻り防止側係合溝３１は、戻り防止側ラチェット部Ｍを構成する。戻り防止側ラチェット部Ｍは、バンドＢが戻る側への巻取軸部材６の回転を防止する。
【００３０】
複数の戻り防止側係合溝３１は、図２に示すように、それぞれ、戻り防止側板部材３の外縁において、径方向の外側から内側に三角形状に切り欠く溝状に形成される。
複数の戻り防止側係合溝３１は、それぞれ、隣り合う円弧辺部３１１，３１１の間に溝状に形成される部分であって、垂直辺部３１２と、傾斜辺部３１３との間の部分である。
【００３１】
円弧辺部３１１は、戻り防止側板部材３の外縁を構成し、円周上に沿って、円弧状に形成される。垂直辺部３１２は、円弧辺部３１１の周方向の一端部から戻り防止側板部材３の中心側に円弧辺部３１１に対して垂直に延びる。傾斜辺部３１３は、円弧辺部３１１の周方向の他端部から円弧辺部３１１に対して鈍角の角度で傾斜して延びる。
【００３２】
一対の回り止め貫通孔３２，３２は、それぞれ、円弧状に形成され、戻り防止側板部材３を回転軸Ｊ方向に貫通する。一対の回り止め貫通孔３２，３２には、巻取軸部材６の一対の平行部材６２，６２が挿入される。これにより、戻り防止側板部材３は、巻取軸部材６に対して回転せずに、戻り防止側板部材３と巻取軸部材６とは、一体的に回転する。
【００３３】
巻取レバー部材４は、バンドＢを締め付ける際に、操作される部分である。巻取レバー部材４は、巻取軸部材６の回転軸Ｊを中心に回転可能である。
【００３４】
巻取レバー部材４は、一対の巻取レバー側対向板部４１ａ，４１ｂと、巻取側ベース板部４２と、を有する。一対の巻取レバー側対向板部４１ａ，４１ｂ及び巻取側ベース板部４２は、金属材料の板材により形成される。
一対の巻取レバー側対向板部４１ａ，４１ｂは、それぞれ、ほぼ同一形状の板状に形成され、回転軸Ｊ方向に延びる。一対の巻取レバー側対向板部４１ａ，４１ｂは、回転軸Ｊ方向に所定間隔離間して、互いが対向して配置される。
【００３５】
一対の巻取レバー側対向板部４１ａ，４１ｂの一端部には、それぞれ、巻取レバー側貫通孔４１１が形成されている。一対の巻取レバー側対向板部４１ａ，４１ｂの他端部は、巻取側ベース板部４２により接続されている。
【００３６】
巻取側ベース板部４２は、板状に形成される。一対の巻取レバー側対向板部４１ａ，４１ｂの他端部側において、巻取側ベース板部４２は、一対の巻取レバー側対向板部４１ａ，４１ｂの長さ方向の半分程度の領域において、一対の巻取レバー側対向板部４１ａ，４１ｂを接続する。
【００３７】
一対の巻取レバー側対向板部４１ａ，４１ｂは、それぞれ、回転軸Ｊ方向において、固定側部材２における一対の固定側対向板部２１ａ，２１ｂの外側に配置される。戻り防止側板部材３は、回転軸Ｊ方向において、固定側対向板部２１ａと巻取レバー側対向板部４１ｂとの間に配置される。後述する締付側板部材５は、回転軸Ｊ方向において、固定側対向板部２１ｂと巻取レバー側対向板部４１ａとの間に配置される。
【００３８】
巻取レバー側貫通孔４１１は、円形状に形成され、回転軸Ｊ方向に貫通する孔である。一対の巻取レバー側貫通孔４１１，４１１には、巻取軸部材６の両端部がそれぞれ貫通されている。一対の巻取レバー側貫通孔４１１，４１１及び一対の固定側貫通孔２１１，２１１には、それらが重なるように配置された状態で、後述する巻取軸部材６の両端部それぞれが、直線上に貫通される。これにより、巻取軸部材６は、一対の固定側貫通孔２１１，２１１及び一対の巻取レバー側貫通孔４１１，４１１に貫通された状態で、固定側ベース板部２２及び巻取レバー部材４に対して、回転可能である。
【００３９】
一対の巻取レバー側対向板部４１ａ，４１ｂのうちの一方の巻取レバー側対向板部４１ａには、複数の締付側爪部材４１２が形成されている。一方の巻取レバー側対向板部４１ａは、巻取軸部材６の他方の端部６２ａ側に配置されている。複数の締付側爪部材４１２は、一方の巻取レバー側対向板部４１ａの長手方向の一端部の内面において、巻取レバー側貫通孔４１１の外周に沿って離間して形成されている。複数の締付側爪部材４１２は、金属材料で形成される。
【００４０】
複数の締付側爪部材４１２は、一方の巻取レバー側対向板部４１ａの長手方向の巻取軸部材６側の端部の内面から内方側に突出している。
締付側爪部材４１２は、側面視において略台形形状に形成されている。締付側爪部材４１２は、巻取レバー側対向板部４１ａの内面から略垂直に立ち上がる垂直面４１２ａと、所定の周方向に向かうにしたがって下方に傾斜する傾斜面４１２ｂと、を有する。複数の締付側爪部材４１２は、後述する締付側板部材５の複数の締付側係合溝５１に係合可能である。
【００４１】
締付側板部材５は、図３に示すように、巻取レバー部材４における一方の巻取レバー側対向板部４１ａの内側に配置される。詳細には、締付側板部材５は、巻取レバー部材４における一方の巻取レバー側対向板部４１ａと固定側ベース板部２２における他方の固定側対向板部２１ｂとの間に配置される。締付側板部材５は、金属材料の板材により形成される。
【００４２】
締付側板部材５は、図２及び図３に示すように、所定の板厚を有する略円板状に形成される。本実施形態においては、締付側板部材５の板厚は、戻り防止側板部材３の板厚よりも薄く形成される。締付側板部材５は、複数の締付側係合溝５１と、一対の回り止め貫通孔５２，５２と、を有する。複数の締付側係合溝５１は、締付側板部材５の外周端部に沿って離間して配置されている。
【００４３】
複数の締付側係合溝５１には、それぞれ、締付側爪部材４１２が係合する。本実施形態においては、巻取レバー部材４の締付側爪部材４１２及び締付側板部材５の締付側係合溝５１は、締付側ラチェット部Ｓを構成する。締付側ラチェット部Ｓは、バンドＢを締め付ける側への巻取軸部材６の回転を許可する。
【００４４】
複数の締付側係合溝５１は、図２に示すように、それぞれ、締付側板部材５の外縁において、径方向の外側から内側に三角形状に切り欠く溝状に形成される。
複数の締付側係合溝５１は、それぞれ、隣り合う円弧辺部５１１，５１１の間に溝状に形成される部分であって、垂直辺部５１２と、傾斜辺部５１３との間の部分である。
【００４５】
円弧辺部５１１は、締付側板部材５の外縁を構成し、円周上に沿って、円弧状に形成される。垂直辺部５１２は、円弧辺部５１１の周方向の一端部から締付側板部材５の中心側に円弧辺部５１１に対して垂直に延びる。傾斜辺部５１３は、円弧辺部５１１の周方向の他端部から円弧辺部５１１に対して鈍角の角度で傾斜して延びる。
【００４６】
一対の回り止め貫通孔５２，５２は、それぞれ、円弧状に形成され、締付側板部材５を回転軸Ｊ方向に貫通する。一対の回り止め貫通孔５２，５２には、巻取軸部材６の一対の平行部材６２，６２が挿入される。一対の回り止め貫通孔５２，５２は、巻取軸部材６の一対の平行部材６２，６２が挿入される。これにより、締付側板部材５は、巻取軸部材６に対して回転せずに、締付側板部材５と巻取軸部材６とは、一体的に回転する。
【００４７】
一対の端部係止片７，７は、巻取レバー部材４、締付側板部材５、固定側部材２及び戻り防止側板部材３が貫通された状態において、巻取軸部材６の一方の端部６２ｂ，６２ｂ及び他方の端部６２ａ，６２ａそれぞれを係止する。
【００４８】
一対の端部係止片７，７は、円板状に形成される。一対の端部係止片７，７には、それぞれ、円弧状の一対の係止貫通孔７１，７１が形成されている。一対の端部係止片７，７は、巻取軸部材６が、巻取レバー部材４の一対の巻取レバー側貫通孔４１１，４１１、締付側板部材５の一対の回り止め貫通孔５２，５２、固定側部材２の一対の固定側貫通孔２１１，２１１、及び戻り防止側板部材３の一対の回り止め貫通孔３２，３２に挿通された状態で、巻取軸部材６の両端部それぞれを係止する。巻取軸部材６の両端部が一対の端部係止片７，７により係止された状態において、巻取軸部材６の他方の端部６２ａ，６２ａは、外側に広げられる。これにより、他方の端部６２ａ，６２ａにおいて、巻取軸部材６に挿通された部材が抜けないように、固定される。
【００４９】
締付側板部材５、戻り防止側板部材３及び一対の端部係止片７，７は、巻取軸部材６に対して回り止めされた状態で巻取軸部材６に貫通しているため、巻取軸部材６と一体的に回転する。
一方、巻取レバー部材４及び固定側部材２は、巻取軸部材６に対して回り止めされていない状態で巻取軸部材６に貫通しているため、巻取軸部材６に対して別体として回転可能である。
【００５０】
以上のように構成されるバンド締付器１において、締付側ラチェット部Ｓ（巻取レバー部材４の締付側爪部材４１２及び締付側板部材５の締付側係合溝５１）は、所定の負荷が掛かると、バンドＢを締め付ける側への巻取軸部材６の回転を許可する機能が損なわれる。具体的には、締付側係合溝５１の周縁部又は締付側爪部材４１２は、締付側ラチェット部Ｓ（巻取レバー部材４の締付側爪部材４１２及び締付側板部材５の締付側係合溝５１）に所定の負荷が掛かると破損する。
詳細には、締付側板部材５の板厚を戻り防止側板部材３の板厚よりも薄くすることで、締付側ラチェット部Ｓ（巻取レバー部材４の締付側爪部材４１２及び締付側板部材５の締付側係合溝５１）に所定の負荷が掛かると、締付側係合溝５１の周縁部が破損する。
【００５１】
次に、バンド締付器１の動作について、図４及び図５を参照しながら説明する。図４は、本実施形態のバンド締付器１の締付動作を説明するための模式図である。図５は、本実施形態のバンド締付器１の戻し動作を説明するための模式図である。
バンド締付器１は、バンドＢを用いて、標識板や表示器などを、鉄塔や外柵などの構造物に取り付ける際に用いられる。
【００５２】
まず、バンド締付器１において、バンドＢを締め付ける動作について説明する。
図４（ａ）に示すように、固定側部材２及び巻取レバー部材４が直線状になるように開いた状態で配置する。ここでは、締付側ラチェット部Ｓ（巻取レバー部材４の締付側爪部材４１２及び締付側板部材５の締付側係合溝５１、図４（ａ）の紙面において上方側）において、締付側爪部材４１２は、締付側係合溝５１に係合している。巻き戻し防止側ラチェット部Ｍ（巻取レバー部材４の締付側爪部材４１２及び締付側板部材５の締付側係合溝５１、図４（ａ）の紙面において下方側）において、戻り防止側爪部材２１２は、戻り防止側係合溝３１に係合している。
【００５３】
次に、標識板など鉄塔などの構造物に巻き付けるのに適した所定の長さのステンレス製のバンドＢを準備する。そして、バンドＢの基端部を固定側部材２のバンド基端部取付孔２３に取り付けた状態で、鉄塔等にバンドＢを巻き付け、バンドＢの終端部を巻取軸部材６のバンド固定スリット６３に固定する。
【００５４】
図４（ａ）に示す状態から、バンドＢを締め付けていく。バンドＢを締め付ける場合には、固定側部材２を固定した状態で、巻取レバー部材４を、巻取レバー部材４の巻取軸部材６とは反対側の端部が固定側部材２側に近づくように、巻取軸部材６の回転軸Ｊを中心に第１回転方向Ｒ１に回転させる。これにより、巻取レバー部材４は、図４（ａ）に示す状態から図４（ｂ）に示す状態に回転する。
【００５５】
図４（ｂ）に示す状態では、締付側ラチェット部Ｓ（巻取レバー部材４の締付側爪部材４１２及び締付側板部材５の締付側係合溝５１、図４（ｂ）の紙面において上方側）において、締付側爪部材４１２が締付側係合溝５１に係合しているため、巻取レバー部材４が第１回転方向Ｒ１に回転移動することで、締付側板部材５が第１回転方向Ｒ１に回転する。そして、巻取軸部材６、戻り防止側板部材３及び締付側板部材５は一体的に回転するため、巻取軸部材６は、締付側板部材５と一体的に回転する。これにより、巻取軸部材６が回転して、巻取軸部材６には、バンドＢが巻き取られていく。
【００５６】
また、巻き戻し防止側ラチェット部Ｍ（固定側部材２及び戻り防止側板部材３、図４（ｂ）の紙面において下方側）において、巻取軸部材６、戻り防止側板部材３及び締付側板部材５は一体的に回転するため、締付側板部材５が回転することで、戻り防止側板部材３が回転する。これにより、戻り防止側板部材３が回転することで、戻り防止側係合溝３１が移動する。そして、戻り防止側板部材３が戻り防止側爪部材２１２の傾斜面２１２ｂを移動するため、戻り防止側爪部材２１２は、戻り防止側板部材３に乗り上げる。
【００５７】
更に、巻取レバー部材４を、巻取レバー部材４の巻取軸部材６とは反対側の端部が固定側部材２側に近づくように、巻取軸部材６の回転軸Ｊを中心に第１回転方向Ｒ１に回転させる。これにより、巻取レバー部材４は、図４（ｂ）に示す状態から図４（ｃ）に示す状態に回転する。
【００５８】
図４（ｃ）に示す状態では、締付側ラチェット部Ｓ（巻取レバー部材４の締付側爪部材４１２及び締付側板部材５の締付側係合溝５１、図４（ｃ）の紙面において上方側）において、締付側爪部材４１２が締付側係合溝５１に係合しているため、図４（ｂ）に示す状態と同様に、巻取レバー部材４が第１回転方向Ｒ１に回転移動することで、締付側板部材５が回転して、巻取軸部材６が回転する。これにより、巻取軸部材６には、バンドＢが巻き取られていく。
【００５９】
また、巻き戻し防止側ラチェット部Ｍ（巻取レバー部材４の締付側爪部材４１２及び締付側板部材５の締付側係合溝５１、図４（ｃ）の紙面において下方側）において、巻取軸部材６及び戻り防止側板部材３が締付側板部材５と一体に回転するため、締付側板部材５が回転することで、戻り防止側板部材３が回転する。これにより、戻り防止側板部材３が回転することで、戻り防止側係合溝３１が移動する。そして、戻り防止側係合溝３１には、戻り防止側爪部材２１２が係合する。
このようにして、巻取レバー部材４を操作することで、巻取軸部材６が回転して、巻取軸部材６に、バンドＢを巻き取って、バンドＢを締め付けることができる。
【００６０】
次に、バンド締付器１において、巻取レバー部材４を戻す動作について説明する。
巻取レバー部材４を戻す場合には、固定側部材２を固定した状態で、巻取レバー部材４を、巻取レバー部材４の巻取軸部材６とは反対側の端部が固定側部材２側から遠ざかる側に、巻取軸部材６の回転軸Ｊを中心に第２回転方向Ｒ２に回転させる。第２回転方向Ｒ２は、第１回転方向Ｒ１と反対の回転方向である。これにより、巻取レバー部材４は、図４（ｃ）示す状態から図５（ａ）に示す状態に回転する。
【００６１】
図５（ａ）に示す状態では、巻き戻し防止側ラチェット部Ｍ（固定側部材２の戻り防止側爪部材２１２及び戻り防止側板部材３の戻り防止側係合溝３１、図５（ａ）の紙面において下方側）において、戻り防止側爪部材２１２の垂直面２１２ａは、戻り防止側係合溝３１に係合している。そのため、巻取レバー部材４を第２回転方向Ｒ２に回転しても、戻り防止側爪部材２１２の垂直面２１２ａが戻り防止側係合溝３１に係合しているため、戻り防止側板部材３は、巻取軸部材６が戻る方向への回転が規制されており、回転しない。巻取軸部材６が戻り防止側板部材３に対して回り止めされているため、巻取軸部材６も、戻る方向への回転は規制されており、回転しない。これにより、巻取軸部材６を巻き戻す方向への回転は防止される。
【００６２】
また、締付側ラチェット部Ｓ（巻取レバー部材４の締付側爪部材４１２及び締付側板部材５の締付側係合溝５１、図５（ａ）の紙面において上方側）においては、巻き戻し防止側ラチェット部Ｍにおいて巻取軸部材６が戻る方向への回転が規制されているため、巻取軸部材６を回り止めする締付側板部材５も、戻る方向への回転が規制されている。この状態で、巻取レバー部材４を第２回転方向Ｒ２に回転させると、締付側爪部材４１２は、第２回転方向Ｒ２に回転移動する。ここで、締付側板部材５の戻る方向への回転が規制されているため、締付側爪部材４１２の傾斜面４１２ｂは、締付側板部材５に乗り上げて締付側板部材５の上を滑り、締付側爪部材４１２は、第２回転方向Ｒ２に回転する。
【００６３】
これにより、図５（ｂ）に示すように、締付側ラチェット部Ｓ（巻取レバー部材４の締付側爪部材４１２及び締付側板部材５の締付側係合溝５１、図５（ｂ）の紙面において上方側）において、締付側爪部材４１２は、締付側係合溝５１に係合する。しかし、巻取軸部材６は、第２回転方向Ｒ２（戻る方向）への回転は規制されており、回転しない。
このようにして、巻取レバー部材４を第２回転方向Ｒ２に回転するように操作しても、巻取軸部材６は戻る方向へ回転しないため、バンドＢの巻き戻しを防止することができる。
【００６４】
以上のように、巻取レバー部材４における第１回転方向Ｒ１及び第２回転方向Ｒ２へ回転させる動作を繰り返して行うことで、巻取軸部材６を回転させて、巻取軸部材６にバンドＢを巻き取ることができる。これにより、標識板など鉄塔などの構造物に巻き付けたバンドＢを、締め付けることができる。
【００６５】
ここで、バンドＢを締め付ける動作において、バンドＢを過度に締め付けると、バンドＢが切断する可能性がある。そのため、本発明においては、締付側ラチェット部Ｓに所定の負荷が掛かると、バンドＢを締め付ける側への巻取軸部材６の回転を許可する機能が損なわれるように構成されている。
【００６６】
具体的には、本実施形態においては、締付側板部材５の板厚は、戻り防止側板部材３の板厚よりも薄く構成される。そのため、締付側ラチェット部Ｓに所定の負荷が掛かると、締付側ラチェット部Ｓにおける締付側板部材５の締付側係合溝５１の周縁部は破損する。
【００６７】
締付側係合溝５１の周縁部が破損する態様としては、例えば、締付側爪部材４１２は変形せずに、板厚が薄い締付側板部材５において、締付側係合溝５１の周縁部が、締付側係合溝５１が広がるように変形したり、締付側係合溝５１の周縁部が、割れたりする態様がある。
【００６８】
これにより、締付側ラチェット部Ｓにおける締付側板部材５の締付側係合溝５１の周縁部が破損されるため、締付側係合溝５１の周縁部が破損された後には、バンドＢを締め付けることができなくなる。よって、バンドＢを過度に締め付けることを抑制することができる。特に、バンドＢを締め付ける作業の経験が浅い作業者においても、バンドＢの過度の締め付けを抑制できる点において、有益である。
【００６９】
また、バンドＢを用いて標識板等を設置した後において、バンドＢには、例えば、山間部における雪の重量により、大きな負荷が掛かることも想定される。ここで、周辺の環境に応じて、締付側ラチェット部Ｓが破損される所定の負荷を設定してバンドＢを締め付けておくことにより、バンドＢを用いて標識板等を設置した後においても、バンドＢの切断を低減することができる。
【００７０】
本発明におけるバンド締付器１によれば、次のような効果が奏される。
（１）締付側ラチェット部Ｓ（巻取レバー部材４の締付側爪部材４１２及び締付側板部材５の締付側係合溝５１）と、戻り防止側ラチェット部Ｍ（固定側部材２の戻り防止側爪部材２１２及び戻り防止側板部材３の戻り防止側係合溝３１）と、を備えるバンド締付器１であって、締付側ラチェット部Ｓ（巻取レバー部材４の締付側爪部材４１２及び締付側板部材５の締付側係合溝５１）は所定の負荷が掛かると、バンドＢを締め付ける側への巻取軸部材６の回転を許可する機能が損なわれる。つまり、所定の負荷が掛かると、バンドＢを締め付ける側への巻取軸部材６の回転ができなくなり、バンド締付器１でバンドＢを締め付けることができなくなる。これにより、バンドＢを過度に締め付けることを抑制することができる。
（２）締付側係合溝５１の周縁部又は締付側爪部材４１２は、締付側ラチェット部Ｓ（巻取レバー部材４の締付側爪部材４１２及び締付側板部材５の締付側係合溝５１）に所定の負荷が掛かると破損する。これにより、締付側ラチェット部Ｓ（巻取レバー部材４の締付側爪部材４１２及び締付側板部材５の締付側係合溝５１）を破損させることで、バンドＢを締め付けることが、確実にできなくなる。
（３）締付側板部材５の板厚を戻り防止側板部材３の板厚よりも薄くすることで、締付側ラチェット部Ｓに所定の負荷が掛かると、締付側係合溝５１の周縁部が破損する。これにより、締付側係合溝５１の周縁部を破損させる簡単な構成で、バンドＢを過度に締め付けることを抑制することができる。
【００７１】
以上、好適な実施形態について説明したが、本発明は前述した実施形態に限定されることなく種々の形態で実施することができる。
例えば、前記実施形態においては、締付側板部材５の板厚を戻り防止側板部材３の板厚よりも薄くすることで、締付側ラチェット部Ｓに所定の負荷が掛かると、締付側係合溝５１の周縁部が破損するように構成したが、これに限定されない。締付側板部材５の板厚を戻り防止側板部材３の板厚よりも厚くすることで、締付側ラチェット部Ｓに所定の負荷が掛かると、締付側爪部材４１２が破損するように構成してもよい。この場合には、締付側ラチェット部Ｓに所定の負荷が掛かると、締付側ラチェット部Ｓの締付側板部材５の締付側爪部材４１２は、破損される。
締付側爪部材４１２が破損する態様としては、例えば、板厚が厚い締付側板部材５における締付側係合溝５１の周縁部は変形せずに、締付側爪部材４１２が変形したり、締付側爪部材４１２が巻取レバー部材４から剥がれたりする態様がある。
【００７２】
また、前記実施形態においては、締付側板部材５の板厚と防止側板部材３の板厚との板厚を異ならせることで、締付側ラチェット部Ｓに所定の負荷が掛かると、締付側ラチェット部Ｓが破損するように構成したが、これに制限されない。例えば、締付側板部材５と締付側爪部材との材質を異ならせることで強度を異ならせて、所定の負荷が掛かった場合に、締付側板部材５又は締付側爪部材が破損するように構成してもよい。
【符号の説明】
【００７３】
１  バンド締付器
２  固定側部材（戻り防止側本体）
３  戻り防止側板部材
４  巻取レバー部材４（締付側本体）
５  締付側板部材
６  巻取軸部材（回転軸部材）
３１  戻り防し側係合溝（戻り防止側ラチェット部）
５１  締付側係合溝（締付側ラチェット部）
２１２  戻り防止側爪部材（戻り防止側ラチェット部）
４１２  締付側爪部材（締付側ラチェット部）
Ｂ  バンド
Ｓ  締付側ラチェット部（締付側係合溝、締付側爪部材）
Ｍ  戻り防止側ラチェット部（締付側係合溝、締付側爪部材）
【図１】
2016133215.tif 000003
【図２】
2016133215.tif 000004
【図３】
2016133215.tif 000005
【図４】
2016133215.tif 000006
【図５】
2016133215.tif 000007